(57)【要約】【課題】立体的な形状をさせたトーションレースを提供する。【解決手段】本発明におけるトーションレースは、少なくとも２つのトーションレース片を繋ぎ合わせることにより全体として立体的な形状にすることを実現したトーションレースである。そして、上記トーションレース片とは、本発明においてはテープ状に形成されたトーションレースや円筒形状に形成されたトーションレースが想定される。立体的な形状のトーションレースとして、例えば円筒形状に形成されたトーションレース片同士を繋ぎ合わせたトーションレースや、ねじったトーションレース片同士を繋ぎ合わせたトーションレースや、トーションレース片の所定の位置を両側から摘むことにより凸部を形成させたトーションレース片同士を繋ぎ合わせたトーションレースが一例として挙げられる。【選択図】      図１
2010053483.tif 000002
【特許請求の範囲】
【請求項１】
少なくとも２つのトーションレース片を繋ぎ合わせて立体的な形状を形成させたことを特徴とするトーションレース。
【請求項２】
前記少なくとも２つのトーションレース片には、筒形状をした前記トーションレース片が含まれることを特徴とする請求項１記載のトーションレース。
【請求項３】
前記少なくとも２つのトーションレース片には、ねじられたトーションレース片が含まれていることを特徴とする請求項１記載のトーションレース。
【請求項４】
前記少なくとも２つのトーションレース片には、所定の位置を摘んで形成された凸部を有するトーションレース片が含まれていることを特徴とする請求項１記載のトーションレース。
【請求項５】
前記少なくとも２つのトーションレース片には、２つのトーションレース片を引っ掛けることにより構成されたトーションレースユニットが含まれていることを特徴とするトーションレース。
【発明の詳細な説明】
【技術分野】
【０００１】
本発明は、トーションレースに関し、特に、少なくとも２つのトーションレース片を繋ぎ合わせたトーションレースに関する。
【背景技術】
【０００２】
トーションレース（ｔｏｒｃｈｏｎ  ｌａｃｅ）は、円形の編機の外側円周に糸を巻いたボビンを複数立て、各々のボビンに巻かれた糸を交錯させながら編機の中心に向かってからめて、テープ状に編み上げていくことにより形成される。また、トーションレースは、ボビンに巻く糸の種類を変えることにより、天然繊維や化学繊維等幅広い種類の糸により形成できる。以上のようにして形成されたトーションレースは、基本的にテープ形状をしており平面的である。
【０００３】
また、トーションレースは、各々のボビンに巻かれた糸の交錯の仕方を変えることにより様々な模様を形成することができる。様々な模様が形成されたトーションレースは、洋服やバック等に適用することにより、従来にない外観を実現していた。そして、このトーションレースに形成される模様は従来から様々な工夫がなされていた。
【０００４】
そのようなトーションレースとして、複数本の細糸を編製して細幅長尺に形成したトーションレースにおいて、一連の図柄を少なくとも横幅よりも長く連続して形成した一帯部と、その一帯部の先端から延びトーションレースからなる複数本の分離帯部分とが一組となり、その一組の編組部分が長手方向に連続するトーションレースが提案されていた（例えば、特許文献１参照。）。このトーションレースによれば、分離帯部の適当な位置を切断すれば、簡単に下着用のストラップを形成することができる。
【特許文献１】特開２０００−１４４５６３号公報（図１）
【発明の開示】
【発明が解決しようとする課題】
【０００５】
しかしながら、上記トーションレースを含む従来のトーションレースは平面的であるため、装飾効果に限界があった。トーションレースの装飾効果をさらに引き出せることができれば、洋服やバック等も全体として見栄えの良いものとすることができる。
【０００６】
そこで、本発明は、立体的な形状をさせたトーションレースを提供することを目的とする。
【課題を解決するための手段】
【０００７】
本発明は、上記課題を解決するためになされたものであり、本発明のトーションレースは、少なくとも２つのトーションレース片を繋ぎ合わせて立体的な形状を形成させたことを特徴とするものである。これにより、トーションレースを立体的な形状にさせるという作用をもたらす。
【０００８】
また、本発明のトーションレースにおいて、上記少なくとも２つのトーションレース片には、筒形状をした上記トーションレース片が含まれることを特徴とする。これにより、筒形状にしたトーションレース片によってトーションレースを立体的な形状にさせるという作用をもたらす。
【０００９】
また、本発明のトーションレースにおいて、上記少なくとも２つのトーションレース片には、ねじられたトーションレース片が含まれていることを特徴とする。これにより、トーションレース片のねじられた形状によってトーションレースを立体的な形状にさせるという作用をもたらす。
【００１０】
また、本発明のトーションレースにおいて、上記少なくとも２つのトーションレース片には、所定の位置を摘んで形成された凸部を有するトーションレース片が含まれていることを特徴とする。これにより、トーションレース片の所定の位置を摘んで形成された凸部によってトーションレースを立体的な形状にさせるという作用をもたらす。
【００１１】
また、本発明のトーションレースにおいて、上記少なくとも２つのトーションレース片には、２つのトーションレース片を引っ掛けることにより構成されたトーションレースユニットが含まれていることを特徴とする。これにより、トーションレース片同士を引っ掛けることによってトーションレースを立体的な形状にさせるという作用をもたらす。
【発明の効果】
【００１２】
本発明によれば、トーションレースを立体的な形状にすることができるという優れた効果を奏し得る。
【発明を実施するための最良の形態】
【００１３】
本発明におけるトーションレースは、少なくとも２つのトーションレース片を繋ぎ合わせることにより全体として立体的な形状にすることを実現したトーションレースである。そして、上記トーションレース片とは、本発明においてはテープ状に形成されたトーションレースが想定されるが、テープ状に形成された以外のトーションレースを本発明の範囲から除外するものではなく、例えば以下の図１において説明するように円筒形状に形成されたトーションレース等も含む。次に本発明の実施の形態について図面を参照して詳細に説明する。
【００１４】
図１は、本発明の実施の形態におけるトーションレース１０の形成過程を示す図である。トーションレース１０を形成するには、まず図１（ａ）に示すようにトーションレース片１１の両端を繋ぎ合わせる。また、トーションレース片１２の両端を繋ぎ合わせる。これにより、図１（ｂ）に示すように円筒形状をしたトーションレース片１１および１２が形成される。なお、円筒形状をしたトーションレース片１１および１２は、上記のようにトーションレース片１１および１２の両端を繋ぎ合わせることにより形成する以外にも、トーションレース片１１および１２が円筒形状になるようにトーションレースを編む公知の編機により編み上げて形成してもよい。また、トーションレース片１１および１２に形成させる形状は、円筒形状に限るものではなく、その他の筒形状であってもよい。
【００１５】
次に、図１（ｂ）に示すように円筒形状をしたトーションレース片１１の横端部１１ａとトーションレース片１２の横端部１２ａとを繋ぎ合わせる。そして、上記説明したような方法で３つ以上の円筒形状をしたトーションレース片を繋ぎ合わせていくと、図１（ｃ）に示すようなトーションレース１０が作成される。トーションレース１０においては、円筒形状をしたトーションレース片が立体的な形状になっているため、全体として立体的な形状をしたトーションレースになる。
【００１６】
図２は、本発明の別の実施の形態におけるトーションレース２０の形成過程を示す図である。トーションレース２０を形成するには、まず図２（ａ）に示すようにトーションレース片２１および２２をねじる。
【００１７】
なお、トーションレース片２１および２２をねじる位置はトーションレース片２１および２２の中央付近に限るものではなく、その他の位置であってもよい。また、トーションレース片２１および２２をねじる位置の数は、図２（ａ）に示すように１つに限るものではなく、２つ以上あってもよい。
【００１８】
次に、図２（ｂ）に示すようにねじったトーションレース片２１の上方横端部２１ａとねじったトーションレース片２２の上方横端部２２ａとを繋ぎ合わせる。同様に、ねじったトーションレース片２１の下方横端部２１ｂとねじったトーションレース片２２の下方横端部２２ｂとを繋ぎ合わせる。
【００１９】
そして、上記説明したような方法で３つ以上のトーションレース片を繋ぎ合わせていくと図２（ｃ）に示すようなトーションレース２０が作成される。トーションレース２０においては、ねじった部分が立体的な形状になっているため、全体として立体的な形状をしたトーションレースになる。
【００２０】
図３は、本発明の別の実施の形態におけるトーションレース３０の形成過程を示す図である。トーションレース３０を形成するには、まず図３（ａ）に示すようにトーションレース片３１および３２の所定の位置を両側から摘む。
【００２１】
そして、トーションレース片３１および３２の所定の位置を両側から摘んだ状態において、例えばその部分を繋ぎ合わせることにより、トーションレース片３１および３２の所定の位置に凸部３３乃至３６が形成される。
【００２２】
なお、トーションレース片３１および３２を両側から摘む位置は、図３（ａ）に示された位置に限るものではなく、どの位置であってもよい。また、トーションレース片３１および３２を両側から摘む位置の数は、図３（ａ）のように２つに限るものではなく、１つでも、３つ以上であってもよい。また、上記凸部の形成において繋ぎ合わせではなく、その他の方法を用いてもよい。
【００２３】
トーションレース片３１および３２を繋ぎ合わせる場合、図３（ｂ）に示すようにトーションレース片３１の上方横端部３１ａとトーションレース片３２の上方横端部３２ａとを繋ぎ合わせる。同様に、トーションレース片３１の下方横端部３１ｂとトーションレース片３２の下方横端部３２ｂとを繋ぎ合わせる。
【００２４】
そして、上記説明したような方法で３つ以上のトーションレース片を繋ぎ合わせていくと図３（ｃ）に示すようなトーションレース３０が作成される。トーションレース３０においては、凸部が立体的な形状になっているため、全体として立体的な形状をしたトーションレースになる。
【００２５】
図４は、本発明の別の実施の形態におけるトーションレース４０の形成過程を示す図である。トーションレース４０を形成するには、まず図４（ａ）に示すようにトーションレース片４１および４２をそれぞれ２つに折る。そして、図４（ｂ）に示すように、２つに折ったトーションレース片４１をトーションレース片４２に引っ掛ける。これにより、トーションレースユニット４３が出来上がる。
【００２６】
そして、図４（ｂ）に示すようにトーションレースユニット４３の他にトーションレースユニット４４も作成して、トーションレースユニット４３および４４を繋ぎ合わせる。トーションレースユニット４３および４４を繋ぎ合わせる場合、トーションレースユニット４３の上方横端部４３ａとトーションレースユニット４４の上方横端部４４ａとを繋ぎ合わせる。同様に、トーションレースユニット４３の下方横端部４３ｂとトーションレースユニット４４の下方横端部４４ｂとを繋ぎ合わせる。
【００２７】
そして、上記説明したような方法で３つ以上のトーションレースユニットを繋ぎ合わせていくと図４（ｃ）に示すようなトーションレース４０が作成される。トーションレース４０においては、トーションレースユニットのトーションレース片同士を引っ掛けている部分が立体的な形状になっているため、全体として立体的な形状をしたトーションレースになる。
【００２８】
図５は、本発明の別の実施の形態におけるトーションレース５０の形成過程を示す図である。トーションレース５０を形成するには、まず図５（ａ）に示すようにトーションレース片５１乃至５３の上にトーションレース片５４および５５が交差するような態様で置く。そして、図５（ａ）の矢印がある箇所を矢印方向に引っ張り、矢印がある箇所に図５（ｂ）に示すような凸部を作る。矢印がある箇所に凸部を作ると、全体としてトーションレース片は波形状になる。
【００２９】
矢印がある箇所に凸部を作った後に、トーションレース片５１乃至５３とトーションレース片５４および５５とが接する部分を繋ぎ合わせる。そして、上記説明したような方法で複数のトーションレース片を繋ぎ合わせていくと、図５（ｂ）に示すようなトーションレース５０が作成される。トーションレース５０においては、凸部の集合が全体として波形状の立体的な形状になっているため、全体として立体的な形状をしたトーションレースになる。
【００３０】
図６は、本発明の別の実施の形態におけるトーションレース６０の形成過程を示す図である。トーションレース６０を形成するには、まず図６（ａ）に示すようにトーションレース片６１を折って五角形状のトーションレース片６２を作る。なお、本発明の別の実施の形態においてはトーションレースを五角形状に折り込んでいるが、これに限るものではなく、その他の多角形状であってもよい。
【００３１】
そして、図６（ｂ）に示すように、上記のようにした五角形状のトーションレース片６２の他に五角形状のトーションレース片６３を作成する。五角形状のトーションレース片６２を五角形状のトーションレース片６３に重ねて、繋ぎ合わせる。この際、五角形状のトーションレース片６２の一部と五角形状のトーションレース片６３の一部とが重なり合うようにする。
【００３２】
そして、上記説明したような方法で３つ以上の五角形状のトーションレース片を繋ぎ合わせていくと図６（ｃ）に示すようなトーションレース６０が作成される。トーションレース６０においては、五角形状のトーションレース片の重なり合う部分が立体的な形状になっているため、全体として立体的な形状をしたトーションレースになる。
【００３３】
図７は、本発明の別の実施の形態におけるトーションレース７０の形成過程を示す図である。トーションレース７０を形成するには、まず図７（ａ）に示すようにトーションレース片７１を２つに折って、図７（ｂ）に示す先端に輪形状部７２を有するトーションレース片７３を作成する。
【００３４】
そして、輪形状部７２より下の部分のトーションレース片７１は、互いに繋ぎ合わせる。輪形状部７２より下の部分のトーションレース片７１を繋ぎ合わせる際、繋ぎ合わせ面の垂線が輪形状部７２の輪における垂線と概ね同方向になるようにする。
【００３５】
そして、図７（ｂ）に示すようにトーションレース片７３の他にトーションレース片７４も作成して、トーションレース片７３および７４を繋ぎ合わせる。トーションレース片７３および７４を繋ぎ合わせる場合、図７（ｂ）に示すようにトーションレース片７３の横端部７３ａとトーションレース片７４の横端部７４ａとを繋ぎ合わせる。この際、輪形状部７２および７５の輪における垂線は上方を向く。また、トーションレース片７３および７４における繋ぎ合わせ面の垂線も上方を向く。
【００３６】
そして、上記説明したような方法で３つ以上の先端に輪形状部を有するトーションレース片を繋ぎ合わせ、その繋ぎ合わせたものをさらに重ね合わせて繋ぎ合わせていくと、図７（ｃ）に示すようなトーションレース７０が作成される。トーションレース７０においては、輪形状部分が立体的な形状になっているため、全体として立体的な形状をしたトーションレースになる。
【００３７】
図８は、本発明の別の実施の形態におけるトーションレース８０の形成過程を示す図である。トーションレース８０を形成するには、まず図８（ａ）に示すようにトーションレース片８１を２つに折って、先端に輪形状部８２を有するトーションレース片８３を作成する。
【００３８】
そして、輪形状部８２より下の部分のトーションレース片８１は、互いに繋ぎ合わせる。輪形状部８２より下の部分のトーションレース片８１を繋ぎ合わせる際、繋ぎ合わせ面の垂線方向が輪形状部８２の輪の垂線方向に対して約９０度回転した方向になるようにする。
【００３９】
そして、図８（ｂ）に示すようにトーションレース片８３の他にトーションレース片８４も作成して、トーションレース片８３および８４を繋ぎ合わせる。トーションレース片８３および８４を繋ぎ合わせる場合、図８（ｂ）に示すようにトーションレース片８３の横端部８３ａとトーションレース片８４の横端部８４ａとを繋ぎ合わせる。この際、輪形状部８２および８５は横方向を向く。
【００４０】
そして、上記説明したような方法で３つ以上の先端に輪形状部を有するトーションレース片を繋ぎ合わせ、その繋ぎ合わせたものをさらに重ね合わせて繋ぎ合わせていくと、図８（ｃ）に示すようなトーションレース８０が作成される。トーションレース８０においては、輪形状部分が立体的な形状になっているため、全体として立体的な形状をしたトーションレースになる。
【００４１】
図９は、本発明の別の実施の形態におけるトーションレース９０の形成過程を示す図である。トーションレース９０を形成するには、まず図９（ａ）に示すようにトーションレース片９１をトーションレース片９２に螺旋状に巻きつけて、図９（ｂ）に示すようなトーションレースユニット９３を作成する。
【００４２】
そして、図９（ｂ）に示すようにトーションレースユニット９３の他にトーションレースユニット９４も作成して、トーションレースユニット９３とトーションレースユニット９４とを繋ぎ合わせる。トーションレースユニット９３および９４を繋ぎ合わせる場合、例えば図９（ｂ）に示すようにトーションレースユニット９３および９４における螺旋状に巻かれたトーションレース片の部分を繋ぎ合わせる。
【００４３】
そして、上記説明したような方法で３つ以上のトーションレースユニットを繋ぎ合わせていくと図９（ｃ）に示すようなトーションレース９０が作成される。トーションレース９０においては、トーションレースユニットの螺旋状に巻かれている部分が立体的な形状になっているため、全体として立体的な形状をしたトーションレースになる。
【００４４】
図１０は、本発明の別の実施の形態におけるトーションレース１００および２００を示す図である。図１０（ａ）は、トーションレース１００を示す図である。トーションレース１００は、トーションレース片１０１乃至１０５を並列に並べて横端部を繋ぎ合わせたものと、トーションレース片１０１乃至１０５と交差するように配したトーションレース片１０６乃至１０８とを繋ぎ合わせたトーションレースである。
【００４５】
トーションレース片１０６乃至１０８は、トーションレース片１０１、１０３、１０５よりは上に位置し、トーションレース片１０２、１０４よりは下に位置するように配されている。トーションレース１００においては、トーションレース片が重なり合って立体的な形状になっているため、全体として立体的な形状をしたトーションレースになる。
【００４６】
図１０（ｂ）は、トーションレース２００を示す図である。トーションレース２００は、Ｘ状に交差させたトーションレース片２０１および２０２、トーションレース片２０３および２０４を繋ぎ合わせたものの上から並列に所定間隔離して並べたトーションレース片２０５乃至２０７を繋ぎ合わせたものである。
【００４７】
Ｘ状に交差させたトーションレース片２０１および２０２、トーションレース片２０３および２０４は、それぞれ交差する位置で繋ぎ合わされている。そして、Ｘ状に交差させたトーションレース片２０１および２０２と、トーションレース片２０３および２０４とは、上端部および下端部で繋ぎ合わされている。
【００４８】
そして、トーションレース片２０５は、トーションレース片２０１および２０２と上端部および下端部において繋ぎ合わされている。また、トーションレース片２０６は、トーションレース片２０１および２０２（トーションレース片２０３および２０４）と上端部および下端部において繋ぎ合わされている。また、トーションレース片２０７は、トーションレース片２０３および２０４と上端部および下端部において繋ぎ合わされている。
【００４９】
トーションレース２００においては、トーションレース片が重なり合って立体的な形状になっているため、全体として立体的な形状をしたトーションレースになる。
【００５０】
図１１は、本発明の別の実施の形態におけるトーションレース３００の形成過程を示す図である。トーションレース３００を形成するには、まず図１１（ａ）に示すようにトーションレース片３１０および３２０を用意する。そして、図１１（ｂ）に示すように、トーションレース片３１０および３２０を結んでその結び目をリボン結びにする。これにより、結び目がリボン結び３３１となったトーションレースユニット３３０が出来上がる。
【００５１】
そして、図１１（ｃ）に示すようにトーションレースユニット３３０の他にトーションレースユニット３４０も作成して、トーションレースユニット３３０および３４０を繋ぎ合わせる。トーションレースユニット３３０および３４０を繋ぎ合わせる場合、図１１（ｃ）に示すように、トーションレースユニット３３０の上方横端部３３０ａとトーションレースユニット３４０の上方横端部３４０ａとを繋ぎ合わせる。また、トーションレースユニット３３０の下方横端部３３０ｂとトーションレースユニット３４０の下方横端部３４０ｂとを繋ぎ合わせる。これにより、トーションレース３００が出来上がる。
【００５２】
なお、図１１に示していないが、上記説明したような方法でリボン結びを有する３つ以上のトーションレースユニットを繋ぎ合わせることにより、トーションレースを作成してもよい。トーションレース３００においては、上記トーションレースユニットの結び目のリボン結びの部分が立体的な形状になっているため、全体として立体的な形状をしたトーションレースになる。
【００５３】
図１２は、本発明の実施の形態におけるトーションレース４００の形成過程を示す図である。トーションレース４００を形成する際には、図１２（ａ）に示すように、まずトーションレース片４１０の端部４１０ａを折り曲げて、トーションレース片４１０の面４１０ｂから突起した突起面４１０ｃを作る。同様に、トーションレース片４２０の端部４２０ａを折り曲げて、トーションレース片４２０の面４２０ｂから突起した突起面４２０ｃを作る。
【００５４】
そして、突起面４１０ｃと突起面４２０ｃとを繋ぎ合わせる。突起面４１０ｃと突起面４２０ｃとを繋ぎ合わせると、図１２（ｂ）に示すように突起面４１０ｃと突起面４２０ｃとは面４１０ｂおよび面４２０ｂから突起した状態になる。これにより、トーションレース片４１０とトーションレース片４２０との繋ぎ合わせ部４３０が凸形状になる。
【００５５】
そして、上記説明したような方法で３つ以上のトーションレース片を繋ぎ合わせていくと、繋ぎ合わせ部分が凸形状になったトーションレース４００を形成することができる。トーションレース４００は、トーションレース片同士の繋ぎ合わせ部分が凸形状になっているため、全体として立体的な形状をしたトーションレースになる。
【００５６】
以上のように、本発明の実施の形態によれば、様々な形状の立体的なトーションレースを提供することができる。そして、以上示したトーションレースを服やかばん等に用いれば、服やかばん等に今までにない立体的な視覚的効果を与えることができる。
【００５７】
なお、本発明の実施の形態におけるトーションレース１０乃至４００は、同種類のトーションレース片を用いて構成したり、異なる種類のトーションレース片を用いて構成したりと様々であるが、上記のトーションレース片の組み合わせは一例である。したがって、どのような種類のトーションレース片を組み合わせてトーションレース１０乃至４００を構成しても本発明の範囲に入る。
【００５８】
また、本発明の実施の形態におけるトーションレース１０乃至４００のうちの任意のトーションレース片を繋ぎ合わせて、さらに様々な立体的形状を持つトーションレースを組み合わせることも本発明の範囲に含まれる。例えば、トーションレース１０を構成するトーションレース片１１とトーションレース２０を構成するトーションレース片２１とを繋ぎ合わせて形成されたトーションレースも本発明の範囲に含まれる。
【００５９】
また、トーションレース片同士、またはトーションレースユニット同士の繋ぎ合わせ方は、縫い合わせる方法が想定されるがこれに限るものではなく、その他の繋ぎ合わせ方法であっても本発明の範囲に含まれる。
【００６０】
なお、本発明の実施の形態は本発明を具現化するための一例を示したものであり、これに限定されるものではなく本発明の要旨を逸脱しない範囲において種々の変形を施すことができる。
【産業上の利用可能性】
【００６１】
本発明の活用例として、例えばカーテン等を製造する際に本発明のトーションレースを用いることができる。
【図面の簡単な説明】
【００６２】
【図１】本発明の実施の形態におけるトーションレース１０の形成過程を示す図である。
【図２】本発明の別の実施の形態におけるトーションレース２０の形成過程を示す図である。
【図３】本発明の別の実施の形態におけるトーションレース３０の形成過程を示す図である。
【図４】本発明の別の実施の形態におけるトーションレース４０の形成過程を示す図である。
【図５】本発明の別の実施の形態におけるトーションレース５０の形成過程を示す図である。
【図６】本発明の別の実施の形態におけるトーションレース６０の形成過程を示す図である。
【図７】本発明の別の実施の形態におけるトーションレース７０の形成過程を示す図である。
【図８】本発明の別の実施の形態におけるトーションレース８０の形成過程を示す図である。
【図９】本発明の別の実施の形態におけるトーションレース９０の形成過程を示す図である。
【図１０】本発明の別の実施の形態におけるトーションレース１００および２００を示す図である。
【図１１】本発明の別の実施の形態におけるトーションレース３００の形成過程を示す図である。
【図１２】本発明の別の実施の形態におけるトーションレース４００の形成過程を示す図である。
【符号の説明】
【００６３】
１０、２０、３０、４０、５０、６０、７０、８０、９０、１００、２００、３００、４００  トーションレース
３３、３４、３５、３６  凸部
１１、１２、２１、３１、４１、４２、５１、５２、５３、５４、５５、５６、６１、６２、６３、７１、７３、７４、８１、８３、８４、９１、９２、１０１、１０２、１０３、１０４、１０５、１０６、１０７、１０８、２０１、２０２、２０３、２０４、２０５、２０６、２０７、３１０、３２０、４１０、４２０  トーションレース片
４３、４４、９３、９４、３３０、３４０  トーションレースユニット
７２、７５、８２、８５  輪形状部
【図１】
2010053483.tif 000003
【図２】
2010053483.tif 000004
【図３】
2010053483.tif 000005
【図４】
2010053483.tif 000006
【図５】
2010053483.tif 000007
【図６】
2010053483.tif 000008
【図７】
2010053483.tif 000009
【図８】
2010053483.tif 000010
【図９】
2010053483.tif 000011
【図１０】
2010053483.tif 000012
【図１１】
2010053483.tif 000013
【図１２】
2010053483.tif 000014